(57)【特許請求の範囲】
【請求項１】
コンテンツの画像を縮小して、記録媒体に記録する記録装置において、
前記コンテンツの画像信号から、前記コンテンツの画像を生成する画像生成手段と、
前記画像生成手段により生成された前記コンテンツの画像に黒帯があるか否かを判定する黒帯判定手段と、
前記黒帯判定手段により前記コンテンツの画像に黒帯があると判定された場合、前記コンテンツの画像から、所定の黒帯領域を除去し、前記所定の黒帯領域が除去された後の前記コンテンツの画像を縮小し、
前記黒帯判定手段により前記コンテンツの画像に前記黒帯がないと判定された場合、前記画像生成手段により生成された前記コンテンツの画像をそのまま縮小する縮小処理手段と、
前記縮小処理手段により縮小された前記コンテンツの画像を符号化して、ファイルとして出力する符号化手段と
を備える記録装置。
【請求項２】
前記画像生成手段は、前記コンテンツの画像信号から、水平および垂直方向のどちらか一方の方向を縮小した前記コンテンツの画像を生成し、
前記黒帯判定手段は、前記画像生成手段により生成された前記コンテンツの画像の他方の方向に黒帯があるか否かを判定し、
前記縮小処理手段は、前記黒帯判定手段により前記コンテンツの画像の他方の方向に黒帯があると判定された場合、前記コンテンツの画像における他方の方向の両端から、前記所定の黒帯領域を除去し、前記所定の黒帯領域が除去された後の前記コンテンツの画像の他方の方向を縮小する
請求項１に記載の記録装置。
【請求項３】
前記黒帯判定手段により前記コンテンツの画像に黒帯があると判定された場合、黒帯がある画像が第１のフレーム数続くか否かを判定する継続判定手段をさらに備え、
前記縮小処理手段は、前記継続判定手段により黒帯がある画像が前記第１のフレーム数続くと判定された場合、前記コンテンツの画像から、前記所定の黒帯領域を除去し、前記所定の黒帯領域が除去された後の前記コンテンツの画像を縮小する
請求項１に記載の記録装置。
【請求項４】
前記継続判定手段は、前記黒帯判定手段により前記コンテンツの画像に黒帯がないと判定された場合、黒帯がない画像が第２のフレーム数続くか否かを判定し、
前記縮小処理手段は、前記継続判定手段により黒帯がない画像が前記第２のフレーム続くと判定された場合、前記コンテンツの画像をそのまま縮小する
請求項３に記載の記録装置。
【請求項５】
コンテンツの画像を縮小して、記録媒体に記録する記録装置の記録方法において、
前記コンテンツの画像信号から、前記コンテンツの画像を生成し、
生成された前記コンテンツの画像に黒帯があるか否かを判定し、
前記コンテンツの画像に黒帯があると判定された場合、前記コンテンツの画像から、所定の黒帯領域を除去し、前記所定の黒帯領域が除去された後の前記コンテンツの画像を縮小し、
前記コンテンツの画像に前記黒帯がないと判定された場合、生成された前記コンテンツの画像をそのまま縮小し、
縮小された前記コンテンツの画像を符号化して、ファイルとして出力する
ステップを含む記録方法。
【請求項６】
コンテンツの画像を縮小して、記録媒体に記録する制御を行うコンピュータに、
前記コンテンツの画像信号から、前記コンテンツの画像を生成する制御を行い、
生成された前記コンテンツの画像に黒帯があるか否かを判定し、
前記コンテンツの画像に黒帯があると判定された場合、前記コンテンツの画像から、所定の黒帯領域を除去し、前記所定の黒帯領域が除去された後の前記コンテンツの画像を縮小し、
前記コンテンツの画像に前記黒帯がないと判定された場合、生成された前記コンテンツの画像をそのまま縮小し、
縮小された前記コンテンツの画像を符号化させて、ファイルとして出力させる制御を行う
ステップを含む処理を実行させるためのプログラム。
【発明の詳細な説明】
【技術分野】
【０００１】
本発明は、記録装置、記録方法、およびプログラムに関し、特に、有効な画素を無駄にすることなく、コンテンツの画像を視聴することができるようにした記録装置、記録方法、およびプログラムに関する。
【背景技術】
【０００２】
現在のテレビジョン放送は、アスペクト比が４：３や１６：９のコンテンツ（素材）が混在しており、アスペクト比の調整のために、画面の上下あるいは左右に黒帯を付加したコンテンツがよくある。例えば、４：３放送での映画コンテンツ（１６：９）や、１６：９放送でのＣＭコンテンツ（４：３）などが挙げられる。
【０００３】
このようなコンテンツに対しては、従来より、画面の上下の黒帯（無画部分）を表示しないようにして、有効な画像部分だけを画面上に表示させることが多く提案されている（例えば、特許文献１）。
【０００４】
ところで、最近、テレビジョン放送のコンテンツを録画する録画装置において、携帯機器向けに、テレビジョン放送のコンテンツを縮小して、リムーバブル記録媒体に記録しておき、例えば、外出先で、縮小してリムーバブル記録媒体に記録されたコンテンツを携帯機器のモニタに表示させて視聴することが行われている。
【０００５】
図１の例においては、アスペクト比が４：３のテレビジョン放送のコンテンツの画像１が示されている。画像１は、有効な画素からなる有効画素領域の上下に黒帯が付加されて構成されている。
【０００６】
このコンテンツの画像１は、従来の録画装置において携帯機器向けに記録される場合、黒帯と有効画素領域の違いが考慮されることなく、そのまま縮小された画像１ａとして、リムーバブル記録媒体に記録される。
【０００７】
図２の例においては、アスペクト比が１６：９のテレビジョン放送のコンテンツの画像２が示されている。画像２は、有効な画素からなる有効画素領域の左右に黒帯が付加されて構成されている。
【０００８】
このコンテンツの画像２も、従来の録画装置において携帯機器向けに記録される場合、黒帯と有効画素領域の違いが考慮されることなく、そのまま縮小された画像２ａとして、リムーバブル記録媒体に記録される。
【０００９】
これにより、外出先にて、リムーバブル記録媒体に記録されたコンテンツを再生した場合、携帯機器のモニタには、縮小されて記録された、黒帯が付加されたままの画像１ａまたは画像２ａが表示される。
【００１０】
【特許文献１】特開２００３−１８４９４号公報
【発明の開示】
【発明が解決しようとする課題】
【００１１】
しかしながら、従来の録画装置において、携帯機器向けにコンテンツを縮小して記録すると、携帯機器のディスプレイは、ただでさえ、画素数が少なく、画面面積も小さいのに、黒帯のために画素数や画面面積が費やされてしまうことがあり、有効な画素を無駄にしていた。
【００１２】
また、記録されている画像１ａや画像２ａにおける有効な画素は、記録時点ですでに縮小されて画素数が減らされているので、仮に再生するときに、黒帯を検出して引き伸ばしたとしても、解像度は粗く拡大されるだけで、失われた画素情報を補えるわけではなかった。
【００１３】
本発明は、このような状況に鑑みてなされたものであり、有効な画素を無駄にすることなく、コンテンツの画像を視聴することができるようにするものである。
【課題を解決するための手段】
【００１４】
本発明の一側面の記録装置は、コンテンツの画像を縮小して、記録媒体に記録する記録装置において、前記コンテンツの画像信号から、前記コンテンツの画像を生成する画像生成手段と、前記画像生成手段により生成された前記コンテンツの画像に黒帯があるか否かを判定する黒帯判定手段と、前記黒帯判定手段により前記コンテンツの画像に黒帯があると判定された場合、前記コンテンツの画像から、所定の黒帯領域を除去し、前記所定の黒帯領域が除去された後の前記コンテンツの画像を縮小し、前記黒帯判定手段により前記コンテンツの画像に前記黒帯がないと判定された場合、前記画像生成手段により生成された前記コンテンツの画像をそのまま縮小する縮小処理手段と、前記縮小処理手段により縮小された前記コンテンツの画像を符号化して、ファイルとして出力する符号化手段とを備える。
【００１５】
前記画像生成手段は、前記コンテンツの画像信号から、水平および垂直方向のどちらか一方の方向を縮小した前記コンテンツの画像を生成し、前記黒帯判定手段は、前記画像生成手段により生成された前記コンテンツの画像の他方の方向に黒帯があるか否かを判定し、前記縮小処理手段は、前記黒帯判定手段により前記コンテンツの画像の他方の方向に黒帯があると判定された場合、前記コンテンツの画像における他方の方向の両端から、前記所定の黒帯領域を除去し、前記所定の黒帯領域が除去された後の前記コンテンツの画像の他方の方向を縮小することができる。
【００１６】
前記黒帯判定手段により前記コンテンツの画像に黒帯があると判定された場合、黒帯がある画像が第１のフレーム数続くか否かを判定する継続判定手段をさらに備え、前記縮小処理手段は、前記継続判定手段により黒帯がある画像が前記第１のフレーム数続くと判定された場合、前記コンテンツの画像から、前記所定の黒帯領域を除去し、前記所定の黒帯領域が除去された後の前記コンテンツの画像を縮小することができる。
【００１７】
前記継続判定手段は、前記黒帯判定手段により前記コンテンツの画像に黒帯がないと判定された場合、黒帯がない画像が第２のフレーム数続くか否かを判定し、前記縮小処理手段は、前記継続判定手段により黒帯がない画像が前記第２のフレーム続くと判定された場合、前記コンテンツの画像をそのまま縮小することができる。
【００１８】
本発明の一側面の記録方法は、コンテンツの画像を縮小して、記録媒体に記録する記録装置の記録方法において、前記コンテンツの画像信号から、前記コンテンツの画像を生成し、生成された前記コンテンツの画像に黒帯があるか否かを判定し、前記コンテンツの画像に黒帯があると判定された場合、前記コンテンツの画像から、所定の黒帯領域を除去し、前記所定の黒帯領域が除去された後の前記コンテンツの画像を縮小し、前記コンテンツの画像に前記黒帯がないと判定された場合、生成された前記コンテンツの画像をそのまま縮小し、縮小された前記コンテンツの画像を符号化して、ファイルとして出力するステップを含む。
【００１９】
本発明の一側面のプログラムは、コンテンツの画像を縮小して、記録媒体に記録する制御を行うコンピュータに、前記コンテンツの画像信号から、前記コンテンツの画像を生成する制御を行い、生成された前記コンテンツの画像に黒帯があるか否かを判定し、前記コンテンツの画像に黒帯があると判定された場合、前記コンテンツの画像から、所定の黒帯領域を除去し、前記所定の黒帯領域が除去された後の前記コンテンツの画像を縮小し、前記コンテンツの画像に前記黒帯がないと判定された場合、生成された前記コンテンツの画像をそのまま縮小し、縮小された前記コンテンツの画像を符号化させて、ファイルとして出力させる制御を行うステップを含む処理を実行させるためのものである。
【００２０】
本発明の一側面においては、コンテンツの画像信号から、前記コンテンツの画像が生成され、生成された前記コンテンツの画像に黒帯があるか否かが判定される。前記コンテンツの画像に黒帯があると判定された場合、前記コンテンツの画像から、所定の黒帯領域が除去され、前記所定の黒帯領域が除去された後の前記コンテンツの画像が縮小される。一方、前記コンテンツの画像に前記黒帯がないと判定された場合、生成された前記コンテンツの画像がそのまま縮小される。そして、縮小された前記コンテンツの画像が符号化されて、ファイルとして出力される。
【発明の効果】
【００２１】
本発明によれば、有効な画素を無駄にすることなく、コンテンツの画像を視聴することができる。これにより、品質のよい画像を視聴することができる。
【発明を実施するための最良の形態】
【００２２】
以下に本発明の実施の形態を説明するが、本発明の構成要件と、明細書または図面に記載の実施の形態との対応関係を例示すると、次のようになる。この記載は、本発明をサポートする実施の形態が、明細書または図面に記載されていることを確認するためのものである。従って、明細書または図面中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００２３】
本発明の一側面の記録装置は、コンテンツの画像を縮小して、記録媒体（例えば、図３の記録媒体２２）に記録する記録装置（例えば、図３の録画装置２１）において、前記コンテンツの画像信号から、前記コンテンツの画像を生成する画像生成手段（例えば、図３のキャプチャ部３２）と、前記画像生成手段により生成された前記コンテンツの画像に黒帯があるか否かを判定する黒帯判定手段（例えば、図３の黒帯判定部４１）と、前記黒帯判定手段により前記コンテンツの画像に黒帯があると判定された場合、前記コンテンツの画像から、所定の黒帯領域を除去し、前記所定の黒帯領域が除去された後の前記コンテンツの画像を縮小し、前記黒帯判定手段により前記コンテンツの画像に前記黒帯がないと判定された場合、前記画像生成手段により生成された前記コンテンツの画像をそのまま縮小する縮小処理手段（例えば、図３の縮小変換部４３）と、前記縮小処理手段により縮小された前記コンテンツの画像を符号化して、ファイルとして出力する符号化手段（例えば、図３のエンコーダ３３）とを備える。
【００２４】
前記黒帯判定手段により前記コンテンツの画像に黒帯があると判定された場合、黒帯がある画像が第１のフレーム数続くか否かを判定する継続判定手段（例えば、図３の縮小処理制御部４２）をさらに備え、前記縮小処理手段は、前記継続判定手段により黒帯がある画像が前記第１のフレーム数続くと判定された場合、前記コンテンツの画像から、前記所定の黒帯領域を除去し、前記所定の黒帯領域が除去された前記コンテンツの画像を縮小することができる。
【００２５】
本発明の一側面の記録方法またはプログラムは、コンテンツの画像を縮小して、記録媒体（例えば、図３の記録媒体２２）に記録する記録装置（例えば、図３の録画装置２１）の記録方法またはコンピュータに所定の処理を実行させるプログラムであって、コンテンツの画像を縮小して、記録媒体に記録する記録装置の記録方法において、前記コンテンツの画像信号から、前記コンテンツの画像を生成し（例えば、図４のステップＳ１１）、生成された前記コンテンツの画像に黒帯があるか否かを判定し、前記コンテンツの画像に黒帯があると判定された場合、前記コンテンツの画像から、所定の黒帯領域を除去し、前記所定の黒帯領域が除去された後の前記コンテンツの画像を縮小し（例えば、図４のステップＳ１５）、前記コンテンツの画像に前記黒帯がないと判定された場合、生成された前記コンテンツの画像をそのまま縮小し（例えば、図４のステップＳ１４）、縮小された前記コンテンツの画像を符号化して、ファイルとして出力する（例えば、図４のステップＳ１６およびＳ１７）ステップを含む。
【００２６】
以下、図を参照して本発明の実施の形態について説明する。
【００２７】
図３は、本発明の一実施の形態である録画装置の構成例を示すブロック図である。この録画装置２１は、例えば、放送局から受信された放送コンテンツの画像を、携帯機器向けに縮小（画素数を減ら）して、符号化し、ビデオファイルとして、録画装置２１に装着される記録媒体２２に記録するものである。
【００２８】
なお、以下、画面の上下部（すなわち、垂直方向の両端）に黒帯が付加されている、水平方向（横）×垂直方向（縦）のサイズが、720×480画素で構成され、アスペクト比が４：３の480I（インターレース）信号の元画像を、携帯機器用にQVGA(320×240画素)に縮小し、ビデオファイルとして記録する場合を例として説明する。
【００２９】
録画装置２１は、主に、チューナ部３１、キャプチャ部３２、エンコーダ３３、記録制御部３４、およびマイクロコンピュータ３５により構成される。
【００３０】
チューナ部３１は、図示せぬアンテナで受信された地上波または衛星波の放送コンテンツの電波を復調し、その信号に応じた処理を実行し、処理の結果、得られるアナログの画像（映像）信号と音声信号を、キャプチャ部３２に供給する。
【００３１】
キャプチャ部３２は、例えば、A/D(Analog / Digital)変換器およびフレームメモリなどにより構成され、チューナ部３１や図示せぬハードディスクなどから供給されたアナログの画像信号および音声信号から、デジタルの画像データおよび音声データを得て、それらをエンコーダ３３に出力する。すなわち、キャプチャ部３２は、アナログの画像信号および音声信号に対して、A/D変換を施すことで、デジタルの画像データおよび音声データを得る。
【００３２】
なお、キャプチャ部３２は、チューナ部３１や図示せぬハードディスクなどから供給されたアナログの画像信号に対しては、必要に応じて、水平方向を縮小（画素数を減ら）しながら、キャプチャし（A/D変換を施し）、その結果得られる4:2:2形式のデジタルの画像データを、マイクロコンピュータ３５に供給する。
【００３３】
エンコーダ３３は、キャプチャ部３２またはマイクロコンピュータ３５からの画像データを、例えばH.264方式でエンコード（圧縮符号化）し、画像のアスペクト比情報とともに、ビデオファイルとして、記録制御部３４に出力する。また、エンコーダ３３は、キャプチャ部３２からの音声データを、同様に圧縮符号化し、オーディオファイルとして、記録制御部３４に出力する。
【００３４】
記録制御部３４は、エンコーダ３３からのビデオファイルおよびオーディオファイルを、装着される記録媒体２２に記録する。
【００３５】
マイクロコンピュータ３５は、例えばCPU（Central Processing Unit）、ROM（Read Only Memory）、およびRAM（Random Access Memory）等を含んで構成され、図示せぬ操作入力部からのユーザの操作信号や各種のプログラムなどを実行することにより、録画装置２１の各部を制御したり、所定の機能ブロックを実現し、各種の処理を実行する。
【００３６】
図３の例の場合、マイクロコンピュータ３５は、黒帯判定部４１、縮小処理制御部４２、および縮小変換部４３により構成され、キャプチャ部３２からの画像データを基に、黒帯の有無を判定し、画像データに対して、判定結果に応じた縮小変換処理を実行する。
【００３７】
キャプチャ部３２からの画像データは、黒帯判定部４１および縮小変換部４３に供給される。黒帯判定部４１は、キャプチャ部３２からの画像データに対応する画像（画面）の上下に黒帯があるか否かを判定し、その判定結果を縮小処理制御部４２に供給する。
【００３８】
縮小処理制御部４２は、黒帯判定部４１からの判定結果を用いて、縮小変換部４３の縮小処理の切替を制御する。具体的には、縮小処理制御部４２は、縮小変換部４３が黒帯領域を除去せず、画像を縮小している場合に、黒帯判定部４１により画像の上下ともに黒帯があると判定されると、上下ともに黒帯がある画像が所定の時間（フレーム数）、連続するか否かを判定する。そして、縮小処理制御部４２は、上下ともに黒帯がある画像が所定の時間、連続すると判定した場合に、縮小変換部４３に、黒帯領域を除去させて縮小処理を行わせる。
【００３９】
また、縮小処理制御部４２は、縮小変換部４３が黒帯領域を除去して、画像を縮小している場合に、黒帯判定部４１により画像の上下部のいずれかに黒帯がないと判定されると、上下部のいずれかに黒帯がない画像が所定の時間（フレーム数）、連続するか否かを判定する。そして、縮小処理制御部４２は、上下部のいずれかに黒帯がない画像が所定の時間、連続すると判定した場合だけ、縮小変換部４３に黒帯領域を除去させずに縮小処理を行わせる。
【００４０】
ここで、黒帯領域とは、画像の黒帯があるであろう画像の端における、縮小変換部４３が画像から除去する対象とする所定の領域のことである。
【００４１】
したがって、画面の上下部に黒帯が付加されている画像の場合には、黒帯領域は、画像の垂直方向の両端、すなわち、画面の上下部における所定の領域を表す。
【００４２】
なお、コンテンツによって、付加される黒帯のサイズが異なることもあるため、画像に付加されている黒帯が黒帯領域より小さいサイズにならない、すなわち、黒帯以外の有効な画素を除去しないように、黒帯領域は設定される。
【００４３】
縮小変換部４３は、縮小処理制御部４２の制御のもと、画像全体、あるいは、画像から、黒帯領域を除いた範囲を用いて、キャプチャ部３２からの4:2:2形式の画像データを縮小しながら、4:2:0形式の画像データに変換し、変換した4:2:0形式の画像データを、エンコーダ３３に出力する。
【００４４】
記録媒体２２は、例えば、メモリスティック（商標）などのメモリカードにより構成され、必要に応じて、録画装置２１に装着される。
【００４５】
なお、記録媒体２２は、その他の記録媒体でもよく、さらに、ユーザが外出先などに携帯可能な、図示せぬ携帯機器（例えば、携帯電話機、携帯ゲーム機、ＰＤＡ（Personal Digital Assistance）、ノート型パーソナルコンピュータなど）に内蔵されるハードディスクやメモリで構成することもできる。この場合、記録媒体２２としてのハードディスクを内蔵する携帯機器は、例えば、USB(Universal Serial Bus)などで録画装置２１に接続される。
【００４６】
次に、図４のフローチャートを参照して、録画装置２１によるコンテンツ記録処理のうちの動画像記録処理について詳しく説明する。したがって、音声については、その説明を省略する。
【００４７】
図４の例においては、図５に示されるアスペクト比が４：３の元画像を、携帯機器用にQVGA(320×240画素)に縮小し、ビデオファイルとして記録する場合を用いて説明する。図５の例においては、画面の上下部（すなわち、垂直方向の両端）に黒帯が付加されている、水平方向（横）×垂直方向（縦）のサイズが、720×480画素で構成され、アスペクト比が４：３の480I（インターレース）信号の元画像が示されている。
【００４８】
例えば、録画装置２１は、メモリスティックからなる記録媒体２２に書き込まれるデータを、ＯＳ（Operating System）等で利用される、データの管理を行うための論理フォーマットとしての、ファイルシステムであるＦＡＴ(File Allocation table)ファイルシステムで管理しており、いまの場合、ビデオファイルのフォーマットは、例えば、メモリスティックスタンダード(Memory Stick Standard)で定義されているフォーマットが用いられる。
【００４９】
チューナ部３１は、図示せぬアンテナで受信された地上波または衛星波の放送コンテンツの電波を復調し、その結果得られるコンテンツの画像（映像）信号をキャプチャ部３２に供給している。
【００５０】
ステップＳ１１において、キャプチャ部３２は、チューナ部３１から供給されたアナログの画像信号を、水平方向を４／９のサイズに縮小しながら、320×480画素のインターレースでキャプチャする。
【００５１】
すなわち、キャプチャ部３２は、アナログの画像信号（720×480画素，480I信号）から、垂直方向が480ライン（インターレース）のままで、水平方向が４／９のサイズに縮小されて320画素となった4:2:2形式の画像データを生成し、生成した画像データを、黒帯判定部４１および縮小変換部４３に供給する。
【００５２】
ステップＳ１２において、黒帯判定部４１は、キャプチャ部３２からの画像データを用いて、黒帯判定処理を実行する。この黒帯判定処理の詳細は、図１２を参照して後述する。
【００５３】
例えば、いまの場合、黒帯判定部４１は、図５の画像に示されるように、黒帯の垂直方向のサイズＳが上下合わせて、画面（画像）の垂直方向のサイズ(480ライン)の１／６以上を超えているか否か、換言すると、黒帯でない有効な画素からなる有効画素領域の垂直方向のサイズＬが、画面の垂直方向のサイズ(480ライン)の５／６未満であり、かつ、有効画素領域が概ね画面の中央に位置する（上下に偏り過ぎてない）か否かを判定することで、画像に黒帯があるか否かを判定する。
【００５４】
すなわち、図５の画像の場合、画面の上側から、４０ライン(＝480×1/6×1/2)以上と、下側から、同じく４０ライン以上が真黒であれば、黒帯付きの画像であると判定される。
【００５５】
なお、図９を参照して詳しく後述するが、この１／６は、画面の上下側から、それぞれ４０ラインが黒帯領域として除去できるように、さらに具体的には、画面の垂直方向のサイズ(480ライン)から、上下４０ラインを除去することで、画像が、240ラインへの縮小が容易に可能な400ラインとなるように予め設定されたものである。
【００５６】
ステップＳ１２において、黒帯判定処理が終了すると、処理は、ステップＳ１３に進み、縮小処理制御部４２は、黒帯判定部４１による黒帯判定結果に基づいて、画像から、黒帯領域を除去するか否かを判定する。
【００５７】
図６を参照して、ステップＳ１３の処理を説明する。
【００５８】
図６の例においては、縮小変換部４３の処理状態の遷移が示されている。この縮小変換部４３の処理状態は、縮小変換部４３が黒帯領域を除去せず、画像を縮小している状態Ａと、縮小変換部４３が黒帯領域を除去して、画像を縮小している状態Ｂの２つの状態からなる。
【００５９】
例えば、いま、初期状態として、縮小変換部４３の処理状態が、縮小変換部４３が黒帯領域を除去せず、画像を縮小している状態Ａであるとする。
【００６０】
状態Ａにおいて、黒帯判定部４１により上部、下部ともに黒帯ありと判定された画像が、例えば、α（α＞０）フレーム連続した場合、縮小処理制御部４２は、黒帯領域を除去すると判定し、後述する図４のステップＳ１５において、黒帯領域が除去された範囲の画像を縮小するように縮小変換部４３を制御する。
【００６１】
これに対応して、縮小変換部４３の処理状態は、矢印６１のように遷移し、縮小変換部４３が黒帯領域を除去して、画像を縮小している状態Ｂとなる。
【００６２】
状態Ｂにおいて、黒帯判定部４１により上部、下部のうち少なくとも一方が黒帯なしと判定された画像が、例えば、β（β＞０）フレーム連続した場合、縮小処理制御部４２は、黒帯領域を除去しないと判定し、後述する図４のステップＳ１４において、画像全体を縮小するように縮小変換部４３を制御する。
【００６３】
これに対応して、縮小変換部４３の処理状態は、矢印６２のように遷移し、縮小変換部４３が黒帯領域を除去せずに、画像を縮小している状態Ａとなる。
【００６４】
なお、α、βの値は、録画装置２１のフレームレート設定などに応じて調整される。ただし、状態Ｂにおいては、画像から黒帯領域が除去される処理が行われるため、矢印６１に示される状態Ｂに遷移させる判定のほうが、矢印６２に示される状態Ａに遷移させる判定よりも厳しく判定されることが望ましい。したがって、α＞βが望ましく、例えば、３０（フレーム／秒）で記録する場合には、α＝１５，β＝３と設定される。
【００６５】
以上のように、黒帯判定にヒステリシスを持たせることで、黒帯有無の誤判定や、縮小変換処理の頻繁な切り替わりを抑制することができる。
【００６６】
図４に戻り、ステップＳ１３において、黒帯領域を除去しないと判定された場合、処理は、ステップＳ１４に進み、縮小変換部４３は、縮小処理制御部４２の制御のもと、480ラインの画像のうち、トップフィールドの画素のみを用いて、縮小しながら、240ラインの4:2:0形式の画像に変換する。
【００６７】
ここで、図７および図８を参照して、黒帯領域を除去しない場合の縮小変換処理を説明する。なお、図７は、輝度信号の縮小変換処理の例を示しており、図８は、色差信号の縮小変換処理の例を示している。
【００６８】
図７および図８の例においては、480ラインの画像７１のうち、ライン８Ｎ＋０乃至ライン８Ｎ＋７（０≦Ｎ≦５９）の画素が代表して示されており、そのうち、偶数番号のラインの画素は、トップフィールドの画素を表し、ハッチが付されている奇数番号のラインの画素は、ボトムフィールドの画素を表している。
【００６９】
縮小変換部４３は、輝度信号については、図７に示されるように、画像７１におけるライン８Ｎ＋０乃至ライン８Ｎ＋７の画素のうち、例えば、ライン８Ｎ＋０，ライン８Ｎ＋２，ライン８Ｎ＋４，およびライン８Ｎ＋６の画素からなる、トップフィールドの画素の輝度信号のみをそのまま用いることで、480ラインの画像７１から240ラインの画像７２への縮小変換を行う。
【００７０】
縮小変換部４３は、色差信号については、図８に示されるように、4:2:0形式への変換を想定し、画像７１におけるライン８Ｎ＋０，ライン８Ｎ＋２，ライン８Ｎ＋４，およびライン８Ｎ＋６の画素からなるトップフィールドの画素のうち、さらに、ライン８Ｎ＋０とライン８Ｎ＋６の画素の色差信号のみをそのまま用いることで、480ラインの画像７１から240ラインの画像７２への縮小変換を行う。
【００７１】
なお、色差信号における画像の縮小変換においては、実際には、低域通過フィルタ処理をした上で、それぞれライン８Ｎ＋０とライン８Ｎ＋４の平均、ライン８Ｎ＋２とライン８Ｎ＋６の平均を用いるほうが品質の面では好ましい。しかしながら、図８の例においては、縮小変換部４３の演算処理負荷を考慮するため、２つの画素のみをそのまま用いて、単純に間引いている。
【００７２】
また、そのまま用いられる２つの画素としては、上述したライン８Ｎ＋０とライン８Ｎ＋６に限らず、ライン８Ｎ＋０とライン８Ｎ＋４であってもよいし、他の組み合わせを用いることもできる。
【００７３】
以上のような間引き処理が、図４のステップＳ１４において、輝度信号および色差信号に対して、ライン０乃至ライン４７９まで行われることで、画像データが縮小しながら、変換され、変換された画像データが、エンコーダ３３に出力される。
【００７４】
一方、図４のステップＳ１３において、黒帯領域を除去すると判定された場合、処理は、ステップＳ１５に進み、縮小変換部４３は、縮小処理制御部４２の制御のもと、480ラインの画像において、黒帯領域が除去された範囲の画素のみを用いて、縮小しながら、240ラインの4:2:0形式の画像に変換する。
【００７５】
ここで、図９および図１０を参照して、黒帯領域を除去する場合の縮小変換処理を説明する。なお、図９は、輝度信号の縮小変換処理の例を示しており、図１０は、色差信号の縮小変換処理の例を示している。また、いまの場合、画像の上下部の両端から４０ラインが黒帯領域として設定されている。
【００７６】
図９および図１０の例においては、480ラインの画像８１から上下４０ラインずつが黒帯領域として除去され、黒帯領域が除去された後の画像８１のうち、ライン２０Ｍ＋０乃至ライン２０Ｍ＋１９（２≦Ｍ≦２１）の画素が代表して示されており、そのうち、偶数番号のラインの画素は、トップフィールドの画素を表し、ハッチが付されている奇数番号のラインの画素は、ボトムフィールドの画素を表している。
【００７７】
縮小変換部４３は、図９に示されるように、輝度信号については、480ラインの画像８１の上下両端から黒帯領域（４０ライン）を除去し、その後、400ラインとなった画像８１におけるライン２０Ｍ＋０乃至ライン２０Ｍ＋１９（２０ライン）の画素のうち、１２ラインの画素の輝度信号のみをそのまま用いることで、480ラインの画像８１から240ラインの画像８２への縮小変換を行う。
【００７８】
図９の例においては、画像８１から、上下両端の黒帯領域（４０ライン）が除去され、ライン２０Ｍ＋０乃至ライン２０Ｍ＋２の３ラインの画素が用いられ（コピーされ）、ライン２０Ｍ＋３およびライン２０Ｍ＋４の２ラインの画素が間引かれ、ライン２０Ｍ＋５乃至ライン２０Ｍ＋７の３ラインの画素が用いられ、ライン２０Ｍ＋８およびライン２０Ｍ＋９の２ラインの画素が間引かれ、ライン２０Ｍ＋１０乃至ライン２０Ｍ＋１２の３ラインの画素が用いられ、ライン２０Ｍ＋１３およびライン２０Ｍ＋１４の２ラインの画素が間引かれ、ライン２０Ｍ＋１５乃至ライン２０Ｍ＋１７の３ラインの画素が用いられ、ライン２０Ｍ＋１８およびライン２０Ｍ＋１９の２ラインの画素が間引かれることで、400ラインの画像８１から240ラインの画像８２への縮小変換が行われている。
【００７９】
これにより、偶数番号のライン２０Ｍ＋０、奇数番号のライン２０Ｍ＋１、偶数番号のライン２０Ｍ＋２、奇数番号のライン２０Ｍ＋５、偶数番号のライン２０Ｍ＋６、奇数番号のライン２０Ｍ＋７、偶数番号のライン２０Ｍ＋１０、奇数番号のライン２０Ｍ＋１１、偶数番号のライン２０Ｍ＋１２、奇数番号のライン２０Ｍ＋１５、偶数番号のライン２０Ｍ＋１６、および奇数番号のライン２０Ｍ＋１７の画素というように、トップフィールドの画素とボトムフィールドの画素が交互に並んで構成される画像８２が生成される。
【００８０】
以上のように、輝度信号においては、単純にラインを間引くのではなく、縮小後の偶数番号のライン（トップフィールド）の画素には、縮小前の偶数番号のライン（トップフィールド）の画素、縮小後の奇数番号のライン（ボトムフィールド）の画素には、縮小前の奇数番号のライン（ボトムフィールド）の画素を対応させて用いることで、画像を間引くようにしている。これにより、演算負荷をかけることなく、縮小後の画質の劣化を抑制することができる。
【００８１】
また、ここで、黒帯領域を、画像の上下部の両端から４０ラインで構成しているのも、画質に沿って間引く都合上のことからである。すなわち、黒帯領域を画像の上下部の両端から４０ラインで構成することにより、480ラインから４０×２ラインが除去され、画像が400ラインとなり、その400ラインを間引いて240ラインに縮小すればよいので、上述したように、３ラインを用いて、２ライン間引く繰り返しを行うことができる。これにより、簡単に画質に沿った間引きを実行することができる。
【００８２】
一方、縮小変換部４３は、図１０に示されるように、色差信号については、輝度信号の場合と同様に、480ラインの画像８１の上下両端から黒帯領域（４０ライン）を除去し、その後、4:2:0形式への変換を想定し、400ラインとなった画像８１におけるライン２０Ｍ＋０乃至２０Ｍ＋１９（２０ライン）の画素のうち、６ラインの画素の色差信号のみをそのまま用いることで、480ラインの画像８１から240ラインの画像８２への縮小変換を行う。
【００８３】
図１０の例においては、画像８１から、上下両端の黒帯領域（４０ライン）が除去され、ライン２０Ｍ＋０の画素が用いられ（コピーされ）、ライン２０Ｍ＋１およびライン２０Ｍ＋２の２ラインの画素が間引かれ、ライン２０Ｍ＋３の画素が用いられ、ライン２０Ｍ＋４およびライン２０Ｍ＋５の２ラインの画素が間引かれ、ライン２０Ｍ＋６の画素が用いられ、ライン２０Ｍ＋７およびライン２０Ｍ＋８の２ラインの画素が間引かれ、ライン２０Ｍ＋９の画素が用いられ、ライン２０Ｍ＋１０乃至ライン２０Ｍ＋１３の４ラインの画素が間引かれ、ライン２０Ｍ＋１４の画素が用いられ、ライン２０Ｍ＋１５およびライン２０Ｍ＋１６の２ラインの画素が間引かれ、ライン２０Ｍ＋１７の画素が用いられ、ライン２０Ｍ＋１８およびライン２０Ｍ＋１９の２ラインの画素が間引かれることで、480ラインの画像８１から240ラインの画像８２への縮小変換が行われている。
【００８４】
これにより、偶数番号のライン２０Ｍ＋０、奇数番号のライン２０Ｍ＋３、偶数番号のライン２０Ｍ＋６、奇数番号のライン２０Ｍ＋９、偶数番号のライン２０Ｍ＋１４、および奇数番号のライン２０Ｍ＋１７の画素というように、トップフィールドの画素とボトムフィールドの画素が交互に並んで構成される画像８２が生成される。
【００８５】
以上のように、色差信号の場合も、単純にラインを間引くのではなく、縮小後の偶数番号のライン（トップフィールド）の画素には、縮小前の偶数番号のライン（トップフィールド）の画素、縮小後の奇数番号のライン（ボトムフィールド）の画素には、縮小前の奇数番号のライン（ボトムフィールド）の画素を対応させて用いることで、画像が間引かれている。これにより、演算負荷をかけることなく、縮小後の画質の劣化が抑制することができる。
【００８６】
以上のような間引き処理が、図４のステップＳ１５において、輝度信号および色差信号に対して、ライン４０乃至ライン４３９（すなわち、画像８１から、ライン０乃至ライン４０（４０ライン）およびライン４４０乃至ライン４７９（４０ライン）が除かれた範囲）まで行われることで、画像データが縮小変換され、縮小変換された画像データが、エンコーダ３３に出力される。
【００８７】
その後、処理は、図４のステップＳ１６に進み、エンコーダ３３は、縮小変換部４３からの320×240画素に縮小変換された画像データを、例えばH.264方式で、エンコード（圧縮符号化）する。
【００８８】
そして、エンコーダ３３は、ステップＳ１７において、エンコードしたデータを、画像のアスペクト比情報とともに、ビデオファイルとして、記録制御部３４に出力する。
【００８９】
すなわち、エンコーダ３３は、上述したステップＳ１４において480ラインの画像のトップフィールドのみを用いて240ラインに縮小された画像７２に対しては、４：３の元画像を320×240画素でエンコードし、画素のアスペクト比として、１：１（すなわち、表示時に縦にも横にも拡大しない）を設定し、エンコードした画像データを、設定したアスペクト情報とともにビデオファイルに書き込む。
【００９０】
一方、エンコーダ３３は、上述したステップＳ１５において480ラインの画像から黒帯領域が除去された範囲の画素のみを用いて、240ラインに縮小された画像８２に対しては、４：３の元画像の垂直方向の5/6サイズの部分を、320×240画素でエンコードし、画素のアスペクト比として、６：５（すなわち、表示時に水平方向に１．２倍拡大する）を設定し、エンコードした画像データを、設定したアスペクト情報とともにビデオファイルに書き込む。
【００９１】
なお、このアスペクト比情報の設定は、用いるビデオファイルのフォーマット（すなわち、メモリスティックスタンダードで定義されている（ビデオファイルの）フォーマット）で規定されるビデオ情報のうちの、アスペクト比情報の記述領域に記述される。例えば、ビデオファイルがH.264(MPEG-4 Part10 AVC)のフォーマットであった場合、そのVUI(Video Usability Information)にある“aspect_ratio_idc”などに記述される。
【００９２】
また、前述のメモリスティックスタンダードの場合には、ビデオ情報は、１つの動画について複数設定することが可能であるので、複数設定して、アスペクト比情報を途中で切り替えることも可能になる。
【００９３】
以上のようにして書き込まれたビデオファイルが記録制御部３４に出力される。これに対応して、記録制御部３４は、エンコーダ３３からのビデオファイルを、装着される、メモリスティックからなる記録媒体２２に記録する。
【００９４】
その後、ステップＳ１８において、動画像記録が終了したか否かが判定され、まだ動画像記録が終了していないと判定された場合、処理は、ステップＳ１１に戻り、それ以降の処理が繰り返される。ステップＳ１８において、動画像記録が終了したと判定された場合、動画像記録処理は終了する。
【００９５】
以上のように、放送コンテンツを携帯機器向けに縮小して記録する際、画像の上下に黒帯があると判定された場合に、480ラインの画像から黒帯領域を除去し、黒帯領域が除去された範囲の画素のみを用いて、240ラインの画像に縮小して記録するようにしたので、記録した放送コンテンツを携帯機器で再生表示する場合、図１１に示されるように、有効画素を無駄にせずに視聴することができる。
【００９６】
図１１の例においては、有効画素領域の上下に黒帯が付加された４：３の放送コンテンツの元画像９１と、携帯機器向けに、元画像９１が黒帯領域を除去され、縮小されて記録された画像９２と、記録された画像９２が、携帯機器において再生されて、表示された画像９３とが示されている。
【００９７】
録画装置２１においては、この放送コンテンツの元画像９１の上下に黒帯があると判定されて、画像９１から黒帯領域が除去され、黒帯領域が除去された範囲の所定の画素のみが用いられることで、画像９２に縮小して記録される。
【００９８】
これにより、画像９２において黒帯が占める割合は、従来の方法で縮小されて記録された図１の画像１ａにおける黒帯の割合よりも小さくなり、画像９２において、黒帯ではなく、画像（絵）として有効な画素からなる有効画素領域が占める割合は、従来の方法で縮小されて記録された図１の画像１ａにおける有効画素領域の割合よりも大きくなる。
【００９９】
具体的に説明すると、例えば、有効画素領域（すなわち、非黒帯部分）が垂直方向のサイズにおいて８０％程度である映画コンテンツを、従来の方法でQVGAに縮小し（すなわち、黒帯領域を除去せずに縮小し）記録した場合、記録した画像における有効画素領域の垂直方向のサイズは、192ライン（＝240ライン×0.8）となる。
【０１００】
これに対して、同じ映画コンテンツを、黒帯領域を除去してQVGAに縮小し記録した場合には、記録する範囲（黒帯領域が除去された残りの範囲）を垂直方向の5/6（すなわち、黒帯部分を上下合わせて1/6除去した）とすると、記録した画像における有効画素領域の垂直方向のサイズは、230ライン（＝240×(0.8÷5/6）＝240×0.96)となり、従来の方法よりも３８ラインも多く、有効画素領域に割り当てることができる。
【０１０１】
したがって、ビデオファイル内において、画素のアスペクト比情報が、６：５（すなわち、表示時に水平方向に１．２倍拡大する）として適切に設定されていれば、縮小されて記録された画像９２を携帯機器において再生するときには、携帯機器には、画像９２が水平方向に１．２倍だけ拡大されたものである画像９３が、正しいアスペクト比で表示される。
【０１０２】
すなわち、携帯機器のディスプレイには、図１の従来の画像１ａの場合よりも、黒帯が少なく、有効画素領域が多い画像９３が表示されるので、ユーザに、有効画素を最大限に活かした画像９３を視聴させることができる。
【０１０３】
次に、図１２のフローチャートを参照して、図４のステップＳ１２における黒帯判定処理の例を詳しく説明する。なお、図１２の例においては、図１３に示される領域Ｅを判定対象として、画面（画像）の上部における黒帯判定処理を説明するが、画面の下部の場合も、上下が異なるだけであり、同様に行われるため、その説明は繰り返しになるので省略する。
【０１０４】
図１３は、画面上部における黒帯判定対象となる画素を説明する図である。図１３の例においては、キャプチャ部３２によりキャプチャされた後の水平方向×垂直方向が320×480画素である画面の上部分が示されており、画面の上側から４０ライン(＝480×1/6×1/2)以上が真黒であるか否かが判定される。
【０１０５】
ここで、ビデオキャプチャ時（すなわち、A/D変換時）のノイズなどを考慮するため、画面のふちから数画素、すなわち、画面の左上から水平方向にγ画素、かつ、垂直方向にβライン、および画面の右端から水平方向にδ画素（すなわち、画面の左端から水平方向に３２０−δ画素）は、判定対象から外される。また、画面の上側から４０ライン丁度ではなく、αライン余裕を持った範囲まで判定対象とされる。
【０１０６】
すなわち、図１３の例においては、画面の左上を原点（０，０）とすると、（ｘ，ｙ）＝（γ，β）（すなわち、左上（０，０）から水平方向にγ画素、垂直方向にβライン）である画素Ｐ１、（ｘ，ｙ）＝（３２０−δ，β）（すなわち、左上（０，０）から水平方向に３２０−δ画素、垂直方向にβライン）である画素Ｐ２、（ｘ，ｙ）＝（γ，４０＋α）（すなわち、左上（０，０）から水平方向にγ画素、垂直方向に４０＋αライン）である画素Ｐ３、（ｘ，ｙ）＝（３２０−δ，４０＋α）（すなわち、左上（０，０）から水平方向に３２０−δ画素、垂直方向に４０＋αライン）である画素Ｐ４で囲まれる、３２０−（γ＋δ）画素×４０−β＋αラインからなる領域Ｅが黒帯判定対象とされる。
【０１０７】
したがって、黒帯判定部４１は、まず、図１２のステップＳ３１において、カウントｃ＝０，ｙ＝βとし、ステップＳ３２において、ｘ＝γとする。すなわち、図１３の（ｘ，ｙ）＝（γ，β）である画素Ｐ１から判定が開始される。
【０１０８】
ステップＳ３３において、黒帯判定部４１は、画素（ｘ，ｙ）が真黒であるか否かの情報を求める画素情報算出処理を実行する。ステップＳ３３の画素情報算出処理は、図１４を参照して後述する。この画素情報算出処理により、画素（ｘ，ｙ）が真黒であるか否かの情報が求められるので、黒帯判定部４１は、ステップＳ３４において、画素（ｘ，ｙ）が真黒ではないか否かを判定する。
【０１０９】
ステップＳ３４において、画素（ｘ，ｙ）が真黒ではないと判定された場合、ステップＳ３５において、黒帯判定部４１は、ｃ＝ｃ＋１とする（すなわち、カウントｃを１増やす）。ステップＳ３４において、画素（ｘ，ｙ）が真黒であると判定された場合、ステップＳ３５の処理はスキップされ、処理は、ステップＳ３６に進む。
【０１１０】
ステップＳ３６において、黒帯判定部４１は、ｘ＝ｘ＋１とし（すなわち、画素の位置を水平方向に１つ移動させ）、ステップＳ３７において、ｘが３２０−δ（図１３の（ｘ，ｙ）＝（３２０−δ，β）である画素Ｐ２のｘの値）よりも小さいか否かを判定する。ステップＳ３７において、ｘが３２０−δよりも小さいと判定された場合、処理は、ステップＳ３３に戻り、水平方向に１移動した画素（ｘ，ｙ）についてそれ以降の処理が繰り返される。
【０１１１】
ステップＳ３７において、ｘが３２０−δよりも小さくないと判定された場合、黒帯判定部４１は、ｘが３２０−δになったとして、ステップＳ３８において、ｙ＝ｙ＋１とし（すなわち、画素の位置を垂直方向に１つ移動させ）、ステップＳ３９において、ｙが４０＋α（図１３の（ｘ，ｙ）＝（γ，４０＋α）である画素Ｐ３のｙの値）よりも小さいか否かを判定する。ステップＳ３９において、ｙが４０＋αよりも小さいと判定された場合、処理は、ステップＳ３２に戻り、垂直方向に１移動した画素（ｘ，ｙ）についてそれ以降の処理が繰り返される。
【０１１２】
ステップＳ３９において、ｙが４０＋αよりも小さくないと判定された場合、黒帯判定部４１は、ｙが４０＋αになり、図１３の（ｘ，ｙ）＝（３２０−δ，４０＋α）である画素Ｐ４まで判定が終了したとして、ステップＳ４０において、ｃ＞εであるか、すなわち、カウントｃが所定の閾値であるε（例えば、ε＝０）よりも大きいか否かを判定する。
【０１１３】
なお、実際には、判定対象となる領域に黒以外の画素が若干（例えば、１または２個など）あったとしても、黒帯とみなすため、ε＝０よりも判定に厳しくない値が設定される。
【０１１４】
ステップＳ４０において、カウントｃがε以下であると判定された場合、ステップＳ４１において、黒帯判定部４１は、画面上部に黒帯があるとし、黒帯判定処理を終了する。一方、ステップＳ４０において、カウントｃがεより大きいと判定された場合、ステップＳ４２において、黒帯判定部４１は、画面上部に黒帯がないとし、黒帯判定処理を終了する。
【０１１５】
以上の処理が、画面下部においても同様に実行され、上述した図４のステップＳ１３においては、画面上部および下部における黒帯判定結果に基づいて、黒帯領域を除去するか否かが判定される。
【０１１６】
なお、図１２および図１３の例におけるα，γ，β，δ，εの各値は、ハードウエア（例えば、キャプチャ部３２を構成するA/D変換器）の性能や特性に応じて調整される。例えば、α＝４，γ＝４，β＝４，δ＝４，ε＝０とされる。このとき、これらの値は、画面上下部ともに同じ値をとるとは限らない。
【０１１７】
以上のように、ノイズが乗りやすい画面の端からの数画素を判定対象から外すことにより、黒帯判定の性能を向上させることができるとともに、判定対象の範囲が狭くなるので、処理負荷も減らすことができる。
【０１１８】
なお、上記説明においては、４：３のアスペクト比で１６：９の画像のコンテンツが放送される際に、黒帯が上下両方に付加され、それらには大きな偏りはないことを考慮して、黒帯が上下両方にある場合のみ、黒帯があると判定すると説明したが、放送コンテンツに応じて、上部のみ、下部のみの黒帯を判定することもできる。
【０１１９】
次に、図１４のフローチャートを参照して、図１２のステップＳ３３の画素情報算出処理について説明する。
【０１２０】
黒帯判定部４１は、ステップＳ６１において、画素（ｘ，ｙ）の輝度Yが、閾値Ymax以下であるか否かを判定し、画素（ｘ，ｙ）の輝度Yが、閾値Ymax以下であると判定した場合、ステップＳ６２において、画素（ｘ，ｙ）の色差Crが、閾値Crmin以上であるか否かを判定する。
【０１２１】
ステップＳ６２において、画素（ｘ，ｙ）の色差Crが、閾値Crmin以上であると判定された場合、黒帯判定部４１は、ステップＳ６３において、画素（ｘ，ｙ）の色差Crが、閾値Crmax以下であるか否かを判定し、画素（ｘ，ｙ）の色差Crが、閾値Crmax以下であると判定した場合、処理は、ステップＳ６４に進む。
【０１２２】
ステップＳ６４において、黒帯判定部４１は、画素（ｘ，ｙ）の色差Cbが、閾値Cbmin以上であるか否かを判定する。ステップＳ６４において、画素（ｘ，ｙ）の色差Cbが、閾値Cbmin以上であると判定された場合、黒帯判定部４１は、ステップＳ６５において、画素（ｘ，ｙ）の色差Cbが、閾値Cbmax以下であるか否かを判定する。
【０１２３】
ステップＳ６５において、画素（ｘ，ｙ）の色差Cbが、閾値Cbmax以下であると判定された場合、ステップＳ６６において、黒帯判定部４１は、画素（ｘ，ｙ）が真黒であるとし、画素情報算出処理は終了される。
【０１２４】
一方、ステップＳ６１において、画素（ｘ，ｙ）の輝度Yが、閾値Ymax以下ではないと判定された場合、ステップＳ６２において、画素（ｘ，ｙ）の色差Crが、閾値Crmin以上ではないと判定された場合、ステップＳ６３において、画素（ｘ，ｙ）の色差Crが、閾値Crmax以下ではないと判定された場合、ステップＳ６４において、画素（ｘ，ｙ）の色差Cbが、閾値Cbmin以上ではないと判定された場合、または、ステップＳ６５において、画素（ｘ，ｙ）の色差Cbが、閾値Cbmax以下ではないと判定された場合、ステップＳ６７において、黒帯判定部４１は、画素（ｘ，ｙ）が真黒ではないとし、画素情報算出処理は終了される。
【０１２５】
なお、上述した輝度信号Yの閾値Ymax、色差信号Crの閾値CrminおよびCrmax（Crmin＜Crmax）、色差信号Cbの閾値CbminおよびCbmax（Cbmin＜Cbmax）の各値は、ハードウエア（例えば、キャプチャ部３２を構成するA/D変換器）の性能や特性に応じて調整される。例えば、閾値Ymaxは、輝度の最大値の10％程度、閾値Crminおよび閾値Crmaxは、色差（Cr）の中央値の±1％以上、閾値Cbminおよび閾値Cbmaxは、色差（Cb）の中央値の±1％以上の値とされる。
【０１２６】
以上のように、放送コンテンツを携帯機器向けに縮小して記録する際、画像の上下に黒帯があるか否かを判定し、画像の上下に黒帯があると判定された場合、元画像から黒帯領域を除去し、黒帯領域が除去された範囲の画素のみを用いて画像を縮小し、縮小された画像を記録するようにしたので、有効画素を無駄にせずに記録することができる。
【０１２７】
これにより、記録した放送コンテンツを携帯機器で再生表示する場合、有効画素を無駄にせずに表示することができるので、従来よりも品質のよい画像でコンテンツを視聴することができる。
【０１２８】
なお、上記説明においては、図３のチューナ部３１がアナログチューナの場合を説明したが、もちろん、デジタルチューナでもよく、例えば、放送信号がデジタルの場合には、チューナ部３１においては、電波が復調され、信号の分離やデコード処理などが実行され、その結果、アナログの画像信号と音声信号が得られる。
【０１２９】
また、図３の例においては、キャプチャ部３２に供給される画像信号および音声信号としては、チューナ部３１からの画像信号および音声信号しか示されていないが、それだけに限らず、例えば、一旦、チューナ部３１などから、図示せぬハードディスクに記録された放送コンテンツが読み出され、所定の信号処理の結果、得られるアナログの画像信号と音声信号もキャプチャ部３２に供給される。
【０１３０】
さらに、上記説明においては、１６：９のコンテンツが画面の上下に黒帯が付加されて、４：３の放送コンテンツとして放送される場合を説明したが、本発明は、４：３のコンテンツが１６：９の放送コンテンツとして放送される場合に、水平方向の両端（左右）に付加される黒帯を判定し、対応する領域（黒帯領域）を除去する際にも適用される。同様に、インターレース信号の場合を説明したが、本発明は、プログレッシブ信号の場合にも適用される。
【０１３１】
例えば、水平方向の黒帯の場合、図７乃至図１０を参照して上述した垂直方向の黒帯の場合のようなトップフィールドとボトムフィールドの考慮が不要となり、単純に画素を間引けばよいため、画面の水平方向の両端である、画面の左右１０％ずつなど柔軟に、除去の対象となる黒帯領域を設定することができる。
【０１３２】
また、プログレッシブ信号での黒帯の場合も、図７乃至図１０を参照して上述したインターレースの場合のような、トップフィールドとボトムフィールドの考慮が不要となり、単純に画素を間引けばよいため、画面の左右または上下１０％ずつなど柔軟に、除去の対象となる黒帯領域を設定することができる。
【０１３３】
なお、本発明は、上述した録画装置に限定されず、本発明は、データを記録媒体に記録することができるパーソナルコンピュータなどにも適用される。
【０１３４】
上述した一連の処理は、ハードウエアにより実行させることもできるし、ソフトウエアにより実行させることもできる。
【０１３５】
一連の処理をソフトウエアにより実行させる場合には、そのソフトウエアを構成するプログラムが、専用のハードウエアに組み込まれているコンピュータ、または、各種のプログラムをインストールすることで、各種の機能を実行することが可能な、例えば汎用のパーソナルコンピュータなどに、プログラム記録媒体からインストールされる。
【０１３６】
図１５は、上述した一連の処理をプログラムにより実行するパーソナルコンピュータ１０１の構成の例を示すブロック図である。CPU（Central Processing Unit）１１１は、ROM（Read Only Memory）１１２、または記憶部１１８に記憶されているプログラムに従って各種の処理を実行する。RAM（Random Access Memory）１１３には、CPU１１１が実行するプログラムやデータなどが適宜記憶される。これらのCPU１１１、ROM１１２、およびRAM１１３は、バス１１４により相互に接続されている。
【０１３７】
CPU１１１にはまた、バス１１４を介して入出力インタフェース１１５が接続されている。入出力インタフェース１１５には、キーボード、マウス、マイクロホンなどよりなる入力部１１６、ディスプレイ、スピーカなどよりなる出力部１１７が接続されている。CPU１１１は、入力部１１６から入力される指令に対応して各種の処理を実行する。そして、CPU１１１は、処理の結果を出力部１１７に出力する。
【０１３８】
入出力インタフェース１１５に接続されている記憶部１１８は、例えばハードディスクからなり、CPU１１１が実行するプログラムや各種のデータを記憶する。通信部１１９は、インターネットやローカルエリアネットワークなどのネットワークを介して外部の装置と通信する。
【０１３９】
また、通信部１１９を介してプログラムを取得し、記憶部１１８に記憶してもよい。
【０１４０】
入出力インタフェース１１５に接続されているドライブ１２０は、磁気ディスク、光ディスク、光磁気ディスク、或いは半導体メモリなどのリムーバブルメディア１２１が装着されたとき、それらを駆動し、そこに記録されているプログラムやデータなどを取得する。取得されたプログラムやデータは、必要に応じて記憶部１１８に転送され、記憶される。
【０１４１】
コンピュータにインストールされ、コンピュータによって実行可能な状態とされるプログラムを格納するプログラム記録媒体は、図１５に示すように、磁気ディスク（フレキシブルディスクを含む）、光ディスク（CD-ROM(Compact Disc-Read Only Memory),DVD(Digital Versatile Disc)を含む）、光磁気ディスク、もしくは半導体メモリなどよりなるパッケージメディアであるリムーバブルメディア１２１、または、プログラムが一時的もしくは永続的に格納されるROM１１２や、記憶部１１８を構成するハードディスクなどにより構成される。プログラム記録媒体へのプログラムの格納は、必要に応じてルータ、モデムなどのインタフェースである通信部１１９を介して、ローカルエリアネットワーク、インターネット、デジタル衛星放送といった、有線または無線の通信媒体を利用して行われる。
【０１４２】
なお、本明細書において、プログラム記録媒体に格納されるプログラムを記述するステップは、記載された順序に沿って時系列的に行われる処理はもちろん、必ずしも時系列的に処理されなくとも、並列的あるいは個別に実行される処理をも含むものである。
【図面の簡単な説明】
【０１４３】
【図１】従来の放送コンテンツの画像を縮小して記録する例を説明する図である。
【図２】従来の放送コンテンツの画像を縮小して記録する他の例を説明する図である。
【図３】本発明を適用した録画装置の構成例を示すブロック図である。
【図４】図３の録画装置の動画像記録処理を説明するフローチャートである。
【図５】放送コンテンツの画像の例を示す図である。
【図６】図４のステップＳ１３の黒帯除去判定処理を説明する図である。
【図７】図４のステップＳ１４における輝度信号についての縮小変換処理を説明する図である。
【図８】図４のステップＳ１４における色差信号についての縮小変換処理を説明する図である。
【図９】図４のステップＳ１５における輝度信号についての縮小変換処理を説明する図である。
【図１０】図４のステップＳ１５における色差信号についての縮小変換処理を説明する図である。
【図１１】本発明の効果を説明する図である。
【図１２】図４のステップＳ１２における黒帯判定処理を説明するフローチャートである。
【図１３】図１２の処理において、黒帯判定対象となる画素を説明する図である。
【図１４】図１２のステップＳ３３の画素情報算出処理を説明するフローチャートである。
【図１５】本発明を適用するパーソナルコンピュータの構成例を示すブロック図である。
【符号の説明】
【０１４４】
２１  録画装置，  ２２  記録媒体，  ３１  チューナ部，  ３２  キャプチャ部，  ３３  エンコーダ，  ３４  記録制御部，  ３５  マイクロコンピュータ，  ４１  黒帯判定部，  ４２  縮小処理制御部，  ４３  縮小変換部
【図１】
0004631736.tif 000002
【図２】
0004631736.tif 000003
【図３】
0004631736.tif 000004
【図４】
0004631736.tif 000005
【図５】
0004631736.tif 000006
【図６】
0004631736.tif 000007
【図７】
0004631736.tif 000008
【図８】
0004631736.tif 000009
【図９】
0004631736.tif 000010
【図１０】
0004631736.tif 000011
【図１１】
0004631736.tif 000012
【図１２】
0004631736.tif 000013
【図１３】
0004631736.tif 000014
【図１４】
0004631736.tif 000015
【図１５】
0004631736.tif 000016